【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
輸送車両（８）内部に、該輸送車両（８）に取り付けられる車輪（１３，１５）と、前方固定具（４）と、後方固定具（６）と、を有する緊急簡易ベッド（１４）を固定して保持する簡易ベッド締結システム（２）であって、
対向する後端及び前端（８０，８５）を備え、長手方向長さを有する簡易ベッド締結具トラック（１２）を備え、
前記簡易ベッド締結具トラック（１２）は、
後端及び前端（８０，８５）の間で長手方向に延びる一対の開放側部トラック（２８，３０）と、
前記開放側部トラック（２８，３０）間の中央に位置するチャネル（７１，８６，２６８）と
を備え、
前記開放側部トラック（２８，３０）は、前記簡易ベッド（１４）の前記前方固定具（４）を、位置合わせしてその内部に収納し、前記簡易ベッド（１４）が前記車輪（１３，１５）によって前記車両（８）内部で転動されると、前記簡易ベッド締結具トラック（１２）の前記長手方向長さに沿って、前記前端（８５）に向かって案内し、前記前方固定具（４）を、少なくとも縦方向及び横方向において前記前端（８５）の近傍に維持するように構成され、
前記チャネル（７１，８６，２６８）は、前記後方固定具（６）を、その内部に収納して、その内部で少なくとも縦方向及び横方向において前記後端（８０）の近傍に維持するように構成され、
前記簡易ベッド締結システム（２）は、さらに、固着状態と非固着状態との間で操作可能に選択可能であるロック機構（５５，７０，８７，１０２，３１０ａ，３１０ｂ）であって、前記固着状態が、前記前方固定具（４）が前記開放側部トラック（２８，３０）から外れることと、前記後方固定具（６）が前記チャネル（７１，８６，２６８）から外れることとの両方を防止するロック機構（５５，７０，８７，１０２，３１０ａ，３１０ｂ）を備える
簡易ベッド締結システム。
【請求項２】
前記簡易ベッド締結具トラック（１２）が、対向する長手方向側部と、ルーフプレート（３６）と、を有し、前記開放側部トラック（２８，３０）が、前記対向する長手方向側部上に張り出す部分を有する前記ルーフプレート（３６）によって画定される、請求項１に記載の簡易ベッド締結システム（２）。
【請求項３】
前記簡易ベッド締結具トラック（１２）が、対向する長手方向側部（３７）を有し、前記開放側部トラック（２８，３０）が、前記長手方向側部（３７）に設けられたコの字型レールである、請求項１に記載の簡易ベッド締結システム（２）。
【請求項４】
前記簡易ベッド締結具トラック（１２）の前記前端（８５）が、第１の幅を有し、前記簡易ベッド締結具トラック（１２）の前記後端（８０）が、前記第１の幅より小さい第２の幅を有する、請求項１〜３のいずれか１項に記載の簡易ベッド締結システム（２）。
【請求項５】
前記簡易ベッド締結具トラック（１２）が、ルーフプレート（３６）を有し、前記簡易ベッド締結具トラック（１２）の前記前端（８５）の近傍の前記ルーフプレート（３６）が、第１の幅を有し、前記簡易ベッド締結具トラック（１２）の前記後端（８０）の近傍の前記ルーフプレート（３６）が、前記第１の幅より小さい第２の幅を有し、前記ルーフプレート（３６）が、前記第１の幅から前記第２の幅に至る先細である、請求項１に記載の簡易ベッド締結システム（２）。
【請求項６】
前記簡易ベッド締結具トラック（１２）が、ルーフプレート（３６）を有し、前記簡易ベッド締結具トラック（１２）の前記前端（８５）の近傍の前記ルーフプレート（３６）が、第１の幅を有し、前記簡易ベッド締結具トラック（１２）の前記後端（８０）の近傍の前記ルーフプレート（３６）が、前記第１の幅より小さい第２の幅を有し、前記ルーフプレート（３６）が、前記第１の幅から前記第２の幅に至る先細であり、前記簡易ベッド締結具トラック（１２）の前記長手方向長さの大部分にわたる前記ルーフプレート（３６）が、前記第１の幅を有する、請求項１に記載の簡易ベッド締結システム（２）。
【請求項７】
前記開放側部トラック（２８，３０）及び前記チャネル（７１，８６，２６８）のうち少なくとも１つが、前記前方固定具（４）が前記簡易ベッド締結具トラック（１２）の前記前端（８５）を越えて動くことを防止するように構成される、請求項１に記載の簡易ベッド締結システム（２）。
【請求項８】
前記ロック機構（５５，７０，８７，１０２，８７，３１０ａ，３１０ｂ）が、無線遠隔制御（６３）を介して、前記非固着状態に置かれるように操作可能である、請求項１に記載の簡易ベッド締結システム（２）。
【請求項９】
前記チャネルが、前記開放側部トラック（２８，３０）間の中央に位置する第１のチャネル（８６，２６８）であり、前記簡易ベッド締結具トラック（１２）が、前記開放側部トラック（２８，３０）間の中央に位置する第２のチャネル（２９６）を備え、その内部に前記簡易ベッド（１４）の中間固定具（５，２０７）を収容して、その内部で少なくとも縦方向及び横方向において維持するように構成され、前記第２のチャネル（２９６）が、前記第１のチャネル（８６，２６８）よりも前記前端（８５）に近接して位置する、請求項１に記載の簡易ベッド締結システム（２）。
【請求項１０】
前記ロック機構（８７，１０２，３１０ａ，３１０ｂ）が、前記チャネル（７１，８６，２６８，２９６）内に位置する、請求項１〜８のいずれか１項に記載の簡易ベッド締結システム（２）。
【請求項１１】
前記ロック機構（５５，７０）が、前記開放側部トラック（２８，３０）のうち少なくとも１つに位置する、請求項１〜９のいずれか１項に記載の簡易ベッド締結システム（２）。
【請求項１２】
前記ロック機構（３１０ａ，３１０ｂ）が、前記第２のチャネル（２９６）内に位置する、請求項９に記載の簡易ベッド締結システム（２）。
【請求項１３】
前記簡易ベッド締結具トラック（１２）が、充電コネクタ（１０４，３１６）を介してそれに固着されると前記簡易ベッド（１４）に電力を提供するように構成される、請求項１〜１２のいずれか１項に記載の簡易ベッド締結システム（２）。
【請求項１４】
前記簡易ベッド締結具トラック（１２）が、充電コネクタ（１０４，３１６）を介してそれに固着されると前記簡易ベッド（１４）にデータ通信を提供するように構成される、請求項１〜１３のいずれか１項に記載の簡易ベッド締結システム（２）。
【請求項１５】
輸送車両（８）内部に、該輸送車両（８）に取り付けられる車輪（１３，１５）と、前方固定具（４）と、後方固定具（６）と、を有する緊急簡易ベッド（１４）を固定して保持する方法であって、前記方法が、
請求項１〜１４のいずれか１項に記載の簡易ベッド締結具トラック（１２）を有する前記輸送車両（８）内部で、前記簡易ベッド（１４）を前記車輪（１３，１５）によって転動させることであって、前記前方固定具（４）が、位置合わせされ、前記開放側部トラック（２８，３０）の内部に収納されて、前記開放側部トラック（２８，３０）によって、前記簡易ベッド締結具トラック（１２）の前記長手方向長さに沿って、前記前端（８５）に向かって案内されてから、前記開放側部トラック（２８，３０）内で少なくとも縦方向及び横方向において、前記前端（８５）の近傍に維持され、前記後方固定具（６）が、前記チャネル（７１，８６，２６８）によって、少なくとも縦方向及び横方向において、前記第２の端の近傍に収納されて維持され、ロック機構（５５，７０，８７，１０２，３１０ａ，３１０ｂ）が、自動的に前記固着状態にあり、前記前方固定具（４）が前記開放側部トラック（２８，３０）から外れることと、前記後方固定具（６）が前記チャネル（７１，８６，２６８）から外れることとの両方を防止することを含む、方法。